(57)【要約】      （修正有）【課題】より容易に客観的な被検眼の観察を行うことができる眼科装置および被検眼表示方法を提供すること。【解決手段】被検眼Ｅにスリット光を照射する主照明系と、当該スリット光の照射領域に対する周囲領域を照明する背景照明系と、周囲領域を含めて被検眼Ｅを撮像する撮像装置を有する観察系と、撮像装置により被検眼Ｅにスリット光が照射され、背景照明系が消灯状態であるときに第１の画像Ｐ１を撮影し、背景照明系が点灯状態であるときに第２の画像Ｐ２を撮影し、第１の画像Ｐ１からスリット光照射領域Ｓ１を切り出したスリット像部と、第２の画像Ｐ１からスリット光照射領域Ｓ２を切り抜いた背景部とを合成した第３の画像を生成する制御部と、これらの画像を表示可能な表示部と、を備える。【選択図】図５
2018042644.tif 000002
【特許請求の範囲】
【請求項１】
被検眼にスリット光を照射する主照明系と、
前記主照明系による前記スリット光の照射領域に対する周囲領域を照明する背景照明系と、
前記周囲領域を含めて前記被検眼を撮像する撮像部を有する観察系と、
前記被検眼に前記主照明系によるスリット光が照射され且つ前記背景照明系が消灯状態であるときに前記撮像部により第１の画像を撮影させ、前記背景照明系が点灯状態であるときに前記撮像部により第２の画像を撮影させる制御部と、
少なくとも前記第１の画像及び前記第２の画像を表示可能な表示部と、
を備える眼科装置。
【請求項２】
前記制御部は、前記第１の画像から前記スリット光の照射領域を切り出したスリット像部と、前記第２の画像から前記スリット光の照射領域を切り抜いた背景部とを合成した第３の画像を生成し、前記表示部に表示させる請求項１記載の眼科装置。
【請求項３】
前記制御部は、前記第１の画像と、前記第２の画像のそれぞれに対応する特徴点の位置のずれが所定範囲内である場合にのみ前記第３の画像を生成する請求項２記載の眼科装置。
【請求項４】
前記制御部は、前記第３の画像における前記スリット像部及び背景部の少なくともいずれか一方の領域の明暗を調節可能である請求項２又は３記載の眼科装置。
【請求項５】
前記制御部は、１つのトリガ操作で、少なくとも前記撮像部による前記第１の画像及び第２の画像の撮影を行う請求項１から４のいずれか一項に記載の眼科装置。
【請求項６】
被検眼にスリット光を照射する主照明系と、前記主照明系による前記スリット光の照射領域に対する周囲領域を照明する背景照明系と、前記周囲領域を含めて前記被検眼を撮像する撮像部を有する観察系と、前記撮像部により撮影した画像を表示可能な表示部と、を有する眼科装置の被検眼表示方法であって、
前記被検眼に前記主照明系によるスリット光が照射され且つ前記背景照明系が消灯状態であるときに前記撮像部により第１の画像を撮影する第１の撮影工程と、
前記背景照明系が点灯状態であるときに前記撮像部により第２の画像を撮影させる第２の撮影工程と、
少なくとも前記第１の画像及び前記第２の画像を前記表示部に表示する表示工程と、
を備える被検眼表示方法。
【請求項７】
前記第１の画像から前記スリット光の照射領域を切り出したスリット像部と、前記第２の画像から前記スリット光の照射領域を切り抜いた背景部とを合成した第３の画像を生成する合成工程をさらに備え、
前記表示工程は、前記第１の画像、前記第２の画像、及び第３の画像の少なくとも一つの画像を表示する請求項６記載の被検眼表示方法。
【請求項８】
前記合成工程は、前記第１の画像と、前記第２の画像のそれぞれに対応する特徴点の位置のずれが所定範囲内である場合にのみ前記第３の画像を生成する請求項７記載の被検眼表示方法。
【請求項９】
前記第３の画像における前記スリット像部及び背景部の少なくともいずれか一方の領域の明暗を調節する明暗調整工程をさらに備える請求項７又は８記載の被検眼表示方法。
【請求項１０】
少なくとも前記第１の撮影工程及び前記第２の撮影工程は、１つのトリガ操作で行われる請求項６から９のいずれか一項に記載の被検眼表示方法。
【発明の詳細な説明】
【技術分野】
【０００１】
本発明は、眼科装置及び被検眼表示方法に関する。
【背景技術】
【０００２】
従来、眼科分野で使用される眼科装置の一種として、スリットランプ顕微鏡がある。これは眼科医の日常の診察において、一般的に使用されるもので、照明方法を工夫することで被検眼のいろいろな病変部を観察することができる。
【０００３】
このようなスリットランプ顕微鏡では、主照明系から被検眼に対して照射するスリット状の照明光（以下、スリット光という）、スリット光とは別に被検眼全体を照明する背景照明系を備えている（特許文献１参照）。
【０００４】
眼科医等の検者が被検眼を精密に検査する場合、スリット光の照射領域とそれ以外の領域の明暗差が大きいほど観察部位が見やすくなるため、通常は暗室にて背景照明系を消灯し、スリット光のみを照射した状態で精密検査を行う。一方で、被検眼全体を観察したいときには背景照明系を点灯して、観察を行っていた。
【０００５】
また、特許文献１に示すスリットランプ顕微鏡では、肉眼での観察の他に、撮像装置を通して撮像した被検眼を表示部に表示して観察することも可能である。
【先行技術文献】
【特許文献】
【０００６】
【特許文献１】特開２０１４−１８８３３９号公報
【発明の概要】
【発明が解決しようとする課題】
【０００７】
しかしながら、特許文献１のスリットランプ顕微鏡において、撮像した被検眼を表示部にて表示する場合、スリット光に照射された観察部位は鮮明に見ることができるが、観察部位以外の部位は暗いため、眼科医等の専門知識を有する者以外の者は被検眼のどの部位を観察しているかも把握することは困難である。一方で、背景照明系を点灯した状態で撮像した被検眼は、被検眼全体の様子は把握できても、スリット光が照射された観察部位のコントラストが低下し、微弱な散乱を伴う病変部を確認することが困難である。
【０００８】
そこで、本発明はこのような問題点を解決するためになされたもので、その目的とするところは、より容易に客観的な被検眼の観察を行うことができる眼科装置及び被検眼表示方法を提供することである。
【課題を解決するための手段】
【０００９】
上記した目的を達成するために、本発明に係る眼科装置では、被検眼にスリット光を照射する主照明系と、前記主照明系による前記スリット光の照射領域に対する周囲領域を照明する背景照明系と、前記周囲領域を含めて前記被検眼を撮像する撮像部を有する観察系と、前記被検眼に前記主照明系によるスリット光が照射され且つ前記背景照明系が消灯状態であるときに前記撮像部により第１の画像を撮影させ、前記背景照明系が点灯状態であるときに前記撮像部により第２の画像を撮影させる制御部と、少なくとも前記第１の画像及び前記第２の画像を表示可能な表示部と、を備える。
【００１０】
また、本発明に係る眼科装置において、前記制御部は、前記第１の画像から前記スリット光の照射領域を切り出したスリット像部と、前記第２の画像から前記スリット光の照射領域を切り抜いた背景部とを合成した第３の画像を生成し、前記表示部に表示してもよい。
【００１１】
さらに、本発明に係る眼科装置において、前記制御部は、前記第１の画像と、前記第２の画像のそれぞれに対応する特徴点の位置のずれが所定範囲内である場合にのみ前記第３の画像を生成することとしてもよい。
【００１２】
また、本発明に係る眼科装置において、前記制御部は、前記第３の画像における前記スリット像部及び背景部の少なくともいずれか一方の領域の明暗を調節可能としてもよい。
【００１３】
また、本発明に係る眼科装置において、前記制御部は、１つのトリガ操作で、少なくとも前記撮像部による前記第１の画像及び第２の画像の撮影を行うようにしてもよい。
【００１４】
また、上記した目的を達成するために、本発明に係る被検眼表示方法では、被検眼にスリット光を照射する主照明系と、前記主照明系による前記スリット光の照射領域に対する周囲領域を照明する背景照明系と、前記周囲領域を含めて前記被検眼を撮像する撮像部を有する観察系と、前記撮像部により撮影した画像を表示可能な表示部と、を有する眼科装置の被検眼表示方法であって、前記被検眼に前記主照明系によるスリット光が照射され且つ前記背景照明系が消灯状態であるときに前記撮像部により第１の画像を撮影する第１の撮影工程と、前記背景照明系が点灯状態であるときに前記撮像部により第２の画像を撮影させる第２の撮影工程と、少なくとも前記第１の画像及び前記第２の画像を前記表示部に表示する表示工程と、を備える。
【００１５】
また、本発明に係る被検眼表示方法において、前記第１の画像から前記スリット光の照射領域を切り出したスリット像部と、前記第２の画像から前記スリット光の照射領域を切り抜いた背景部とを合成した第３の画像を生成する合成工程をさらに備え、前記表示工程は、前記第１の画像、前記第２の画像、及び第３の画像の少なくとも一つの画像を表示してもよい。
【００１６】
また、本発明に係る被検眼表示方法において、前記合成工程は、前記第１の画像と、前記第２の画像のそれぞれに対応する特徴点の位置のずれが所定範囲内である場合にのみ前記第３の画像を生成することとしてもよい。
【００１７】
また、本発明に係る被検眼表示方法において、前記第３の画像における前記スリット像部及び背景部の少なくともいずれか一方の領域の明暗を調節する明暗調整工程をさらに備えてもよい。
【００１８】
また、本発明に係る被検眼表示方法において、少なくとも前記第１の撮影工程及び前記第２の撮影工程は、１つのトリガ操作で行われるようにしてもよい。
【発明の効果】
【００１９】
上記手段を用いる本発明によれば、より容易に客観的に被検眼の観察を行うこと状態を把握しやすくすることができる。
【図面の簡単な説明】
【００２０】
【図１】本発明の一実施形態に係る眼科装置の構成を表す概略構成図である。
【図２】本発明の一実施形態に係る眼科装置の光学系構成を表す概略図である。
【図３】本発明の一実施形態に係る眼科装置の制御構成を表すブロック図である。
【図４】本発明の一実施形態に係る眼科装置の制御部が実行する被検眼の表示ルーチンを表すフローチャートである。
【図５】第１の画像例（ａ）及び第２の画像例（ｂ）を示す説明図である。
【図６】第１の画像及び第２の画像が合成されて生成される第３の画像を示す説明図である。
【図７】第３の画像において背景部を暗くした画像例（ａ）及びスリット光照射領域を暗くした画像例（ｂ）を示す説明図である。
【発明を実施するための形態】
【００２１】
この発明に係る眼科装置の実施形態の一例について、図面を参照しながら詳細に説明する。なお、この明細書に記載された文献の記載内容を、以下の実施形態の内容として適宜援用することが可能である。
【００２２】
まず方向を定義しておく。装置光学系において最も被検者側に位置するレンズ（対物レンズ）から被検者に向かう方向を前方向とし、その逆方向を後方向とする。また、前方向に直行する水平方向を左右方向とする。更に、前後方向と左右方向の双方に直交する方向を上下方向とする。
【００２３】
〔外観構成〕
この実施形態に係る眼科装置はスリットランプ顕微鏡１であり、当該スリットランプ顕微鏡１の外観構成について、図１を参照しながら説明する。スリットランプ顕微鏡１には、コンピュータ１００が接続されている。コンピュータ１００は各種の制御処理や演算処理を行う。なお、顕微鏡本体（光学系等を格納する筐体）とは別にコンピュータ１００を設ける代わりに、顕微鏡本体に同様のコンピュータ１００を搭載した構成を適用することも可能である。
【００２４】
スリットランプ顕微鏡１はテーブル２上に載置される。なお、コンピュータ１００は他のテーブル上又はその他の場所に設置されていてもよい。基台４は、移動機構部３を介して水平方向に移動可能に構成されている。基台４は、操作ハンドル５を傾倒操作することにより移動される。
【００２５】
基台４の上面には、観察系６および主照明系８を支持する支持部１５が設けられている。また、支持部１５は、図２に示す背景照明系２０を支持している。支持部１５の前部には、観察系６を支持する支持アーム１６が左右方向に回動可能に取り付けられている。支持アーム１６の前部には、主照明系８および背景照明系２０を支持する支持アーム１７が左右方向に回動可能に取り付けられている。支持アーム１６、１７は、それぞれの前部に同軸の回動軸Ａを有し、それぞれ独立に回動可能とされている。 
【００２６】
観察系６は、支持アーム１６を手動で回動させることで移動される。主照明系８および背景照明系２０は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、 この駆動力を伝達する伝達機構とが設けられる。アクチュエータは、例えばステッピン グモータ（パルスモータ）により構成される。伝達機構は、例えば歯車の組み合わせやラック・アンド・ピニオンなどによって構成される。
【００２７】
主照明系８は、被検眼Ｅに主照明光を照射する。主照明系８は、前述のように、回動軸Ａを中心に左右方向に振ることができる。それにより被検眼Ｅに対する主照明光の照射方向が変更される。主照明系８は上下方向にも振れるように構成されていてもよい。つまり、主照明光の仰角や俯角を変更できるように構成されていてもよい。
【００２８】
主照明光の強度の変更は、基台４上に設けられた照明強度操作部１８を用いて行われる。なお、背景照明系２０により被検眼Ｅに照射される背景照明光の強度についても、照明強度操作部１８を用いて行えるように構成されていてもよい。また、主照明光や背景照明光の強度の変更を、他の操作部材により行えるように構成することも可能である。他の操作部材としては、スリットランプ顕微鏡１の筐体に設けられた操作部材や、コンピュータ１００に設けられた操作部材がある。
【００２９】
観察系６は、主照明光（および背景照明光）の被検眼Ｅからの反射光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、主照明光の反射光には、例えば散乱光のように被検眼Ｅを経由した各種の光が含まれるが、これら各種の光を含めて「反射光」と呼ぶことにする。
【００３０】
鏡筒本体９に対峙する位置には顎受け台１０が配置されている。顎受け台１０には、被検者の顔を安定配置させるための顎受部１０ａと額当て１０ｂが設けられている。
【００３１】
鏡筒本体９の側面には、観察倍率を変更するための観察倍率操作ノブ１１が配置されている。更に、鏡筒本体９には、被検眼Ｅを撮像するための撮像装置１３（撮像部）が接続されている。撮像装置１３は静止画及び動画を撮影可能なカメラ、例えばＣＣＤ（Charge Coupled Device）カメラ、ＣＭＯＳ（Complementary Metal Oxide Semiconductor）カメラのような撮像素子を有するカメラである。これらの撮像素子は入力された光を電気信号（画像信号）として出力する機能を有する。主照明系８の下方位置には、主照明系８から出力される主照明光の光束を被検眼Ｅに向けて反射するミラー１２が配置されている。また、ミラー１２は、背景照明系２０から出力される背景照明光を被検眼Ｅに向けて反射する。
【００３２】
［光学系の構成］
スリットランプ顕微鏡１の光学系の構成について、図２を参照しながら説明する。スリットランプ顕微鏡１が有する光学系としては、観察系６と、主照明系８と、背景照明系２０とがある。
【００３３】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００３４】
観察系６の左右の各光学系は、対物レンズ３１、変倍光学系３２、絞り３３、リレーレンズ３５、プリズム３６および接眼レンズ３７を有する。また、変倍光学系３２とリレーレンズ３５との間に、ビームスプリッタ３４が、左右の光学系の一方又は双方に設けられている。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００３５】
変倍光学系３２は、複数（例えば２枚）の変倍レンズ３２ａ、３２ｂを含んで構成される。この実施形態では、観察系６の光路に対して選択的に挿入可能な複数の変倍レンズ群が設けられている。これら変倍レンズ群は、それぞれ異なる倍率を付与するように構成されている。観察系６の光路に配置された変倍レンズ群が変倍レンズ３２ａ、３２ｂとして用いられる。それにより、被検眼Ｅの肉眼観察像や撮影画像の倍率（画角）を変更できる。倍率の変更、つまり観察系６の光路に配置される変倍レンズ群の切り替えは、観察倍率操作ノブ１１を操作することにより行われる。また、図示しないスイッチ等を用いて電動で倍率を変更するように構成してもよい。またはズームレンズとして倍率を連続的に変更可能としてもよい。
【００３６】
ビームスプリッタ３４は、観察光軸Ｏ１に沿って進む光を二分割する。ビームスプリッタ３４を透過した光は、リレーレンズ３５、プリズム３６および接眼レンズ３７を介して検者眼Ｅｏに導かれる。プリズム３６は、２つの光学素子３６ａ、３６ｂを含み、光の進行方向を上方に平行移動させる。
【００３７】
他方、ビームスプリッタ３４により反射された光は、リレーレンズ４１およびミラー４２を介して、撮像装置１３が有するカメラの撮像素子４３に導かれる。撮像素子４３は、この反射光を検出して画像信号を生成しコンピュータ１００に出力することで、後述する表示部に撮像画像が表示される。したがって、表示された撮像画像を通しても被検眼Ｅの観察が可能である。
【００３８】
〔主照明系〕
主照明系８は、光源５１、リレーレンズ５２、照明絞り５６、集光レンズ５３、スリット形成部５４および集光レンズ５５を有する。符号Ｏ２は、主照明系８の光軸（主照明光軸）を示す。
【００３９】
光源５１は主照明光を出力する。なお、主照明系８に複数の光源を設けてもよい。例えば、定常光を出力する光源（ハロゲンランプ、ＬＥＤ等）と、フラッシュ光を出力する光源（キセノンランプ、ＬＥＤ等）の双方を光源５１として設けることができる。また、角膜観察用の光源と眼底観察用の光源とを別々に設けてもよい。光源５１は、可視光を出力する可視光源を少なくとも含む。
【００４０】
スリット形成部５４は、スリット光を生成するために用いられる。スリット形成部５４は、一対のスリット刃を有する。これらスリット刃の間隔（スリット幅）を変更することによりスリット光の幅が変更される。
【００４１】
照明絞り５６は、その透光部のサイズを変更可能に構成されている。照明絞り５６は、特に眼底観察において有効である。例えば、照明絞り５６には、角膜Ｅｃや水晶体による主照明光の反射を低減させたり、主照明光の明るさを調整したりといった用途がある。
【００４２】
〔背景照明系〕
背景照明系２０は、被検眼Ｅに背景照明光を照射する。背景照明光は、主照明系８による被検眼Ｅに対する主照明光の照射領域の周囲の領域に照射される。なお、背景照明光の照射領域は、少なくともこの周囲領域を含むものであればよい。例えば、背景照明光の照射領域は、主照明系８による照射領域の少なくとも一部と重複していてもよい。
【００４３】
背景照明系２０は、光源（背景光源）を含む。背景光源は、可視光を出力する可視光源を少なくとも含む。この可視光は、例えば肉眼観察や撮影に用いられる。背景光源は、赤外光を出力する赤外光源を含んでいてもよい。この赤外光は、例えばマイボーム腺の観察や撮影に用いられる。背景照明系２０が可視光源と背景光源の双方を含む場合、これら光源は例えば択一的に使用される。背景照明系２０は、背景光源から出力された光を集束させる１つ以上のレンズを含んでいてもよい。符号Ｏ３は、背景照明系２０の光軸（背景照明光軸）を示す。
【００４４】
背景光源から出力された光は、（上記レンズによって集光された後、）ミラー１２により反射されて被検眼Ｅに照射される。この背景照明光の照射領域は、主照明系８による被検眼Ｅの照射領域（スリット光の照射領域）の周囲の領域を含む。
【００４５】
［制御系の構成］
スリットランプ顕微鏡１の制御系について、図３を参照しながら説明する。スリットランプ顕微鏡１の制御系は、制御部１０１を中心に構成されている。なお、制御系の構成の少なくとも一部がコンピュータ１００に含まれていてもよい。
【００４６】
〔制御部〕
制御部１０１は、スリットランプ顕微鏡１の各部を制御する。制御部１０１は、観察系６の制御、主照明系８の制御、および背景照明系２０の制御を行う。観察系６の制御としては、変倍光学系３２の制御、絞り３３の制御、撮像素子４３の電荷蓄積時間、感度、フレームレート等の制御などがある。主照明系８の制御としては、光源５１の制御、スリット形成部５４の制御、照明絞り５６の制御などがある。背景照明系２０の制御としては、背景光源の制御などがある。図３に示す例では、背景光源として、可視光を出力する可視背景光源２０ａと、赤外光を出力する赤外背景光源２０ｂとが設けられているが、これらのうち一方（例えば可視背景光源）のみが設けられていてもよい。
【００４７】
制御部１０１は、マイクロプロセッサ、ＲＡＭ、ＲＯＭ、ハードディスクドライブ等を含んで構成される。ＲＯＭやハードディスクドライブ等の記憶装置には、制御プログラムがあらかじめ記憶されている。制御部１０１の動作は、この制御プログラムとハードウェアとが協働することによって実現される。制御部１０１は、スリットランプ顕微鏡１の装置本体（例えば基台４内）やコンピュータ１００に配置される。
【００４８】
〔表示部〕
表示部１０２は、制御部１０１の制御を受けて各種の情報を表示することが可能である。表示部１０２は、ＬＣＤ等のフラットパネルディスプレイなどの表示デバイスを含んで構成される。表示部１０２は、スリットランプ顕微鏡１の装置本体に設けられていてもよいし、コンピュータ１００に設けられていてもよい。さらに、表示部１０２は、スリットランプ顕微鏡１とＬＡＮやインターネット等の通信網を介して接続されたものや、記憶媒体を経由して表示を行うものであってもよい。
【００４９】
〔操作部〕
操作部１０３は、操作デバイスや入力デバイスを含んで構成される。操作部１０３には、スリットランプ顕微鏡１に設けられたボタンやスイッチ（例えば操作ハンドル５、照明強度操作部１８等）や、コンピュータ１００に設けられた操作デバイス（マウス、キーボード等）が含まれる。また、操作部１０３は、トラックボール、操作パネル、スイッチ、ボタン、ダイアルなど、任意の操作デバイスや入力デバイスを含んでいてよい。また、操作部１０３としては、撮像装置１３が有するカメラにより撮像されている画像をキャプチャするトリガとなるシャッターが設けられている。当該シャッターは例えば操作ハンドル５に押下式のスイッチとして設けられている。
【００５０】
図３では、表示部１０２と操作部１０３とを別々に表しているが、これらの少なくとも一部を一体的に構成することも可能である。その具体例として、タッチスクリーンを用いることができる。
【００５１】
このようにスリットランプ顕微鏡１は構成され、制御部１０１は被検眼の画像データを取得して、表示部１０２に表示する。ここで、図４を参照すると、制御部１０１が実行する被検眼の表示ルーチンを示すフローチャートが示されている。また、図５には第１の画像例（ａ）及び第２の画像例（ｂ）が、図６には第３の画像例がそれぞれ示されており、途中これらの図を参照しつつ、図４のフローチャートに沿って制御部１０１が行う被検眼の表示方法について説明する。
【００５２】
図４に示すように、被検眼Ｅの表示ルーチンでは、まずステップＳ１として制御部１０１は撮影条件を設定する。撮影条件としては、少なくとも主照明系８を点灯状態として被検眼Ｅにスリット光を照射する。その他にも、撮影条件としては、例えば観察位置アライメント、観察倍率の決定、ピント調整、スリット幅調整、スリット輝度調整、スリット入射角調整、背景光源の点灯や消灯等がある。これらの撮影条件の設定は検者が被検眼Ｅを観察しながら手動で設定してもよいし、予め撮影条件を設定しておき制御部１０１による自動制御で行ってもよい。
【００５３】
次にステップＳ２において、制御部１０１は、シャッターが押下されたか否かを判別する。当該判別結果が偽（Ｎｏ）である場合、即ちシャッターが押下されていないうちは、上記ステップＳ１に戻り、撮影条件の設定が継続される。一方、当該判別結果が真（Ｙｅｓ）である場合、即ちシャッター押下による撮影要求があった場合には、ステップＳ３に進む。
【００５４】
ステップＳ３として制御部１０１は、背景照明系２０を消灯状態にする。つまり、このときに背景照明系２０が点灯状態にある場合には、制御部１０１は背景光源を消灯するよう切り替え、背景照明系２０がすでに消灯状態である場合にはその状態を維持する。なお、上述したように背景照明系２０は可視背景光源２０ａと赤外背景光源２０ｂを含んでおり、ここでは少なくとも可視背景光源２０ａを消灯状態にする。
【００５５】
次にステップＳ４として制御部１０１は、第１の画像Ｐ１のキャプチャ及び保存を行う（第１の撮影工程）。詳しくは、制御部１０１は、被検眼Ｅに主照明系８によるスリット光が照射され、且つ、背景照明系２０が消灯状態で、撮像装置１３より出力された撮像画像を第１の画像Ｐ１としてキャプチャし、例えば制御部１０１が備える記憶装置に記憶する。以下、このように撮像装置１３により出力された撮像画像をキャプチャし保存することを撮影ともいう。この第１の画像Ｐ１は、図５（ａ）に示すように、背景照明系２０が消灯しているため、スリット光照射領域Ｓ１のみが明るく、その周囲領域である背景領域Ｂ１は暗く示される。なお、図５（ａ）において暗い部分は斜線で示している（以下同じ）。
【００５６】
続くステップＳ５として、制御部１０１は、背景照明系２０を点灯状態にする。なお、ここでは少なくとも可視背景光源２０ａを点灯状態にする。
【００５７】
次にステップＳ６として、制御部１０１は、第２の画像Ｐ２のキャプチャ及び保存（撮影）を行う（第２の撮影工程）。詳しくは、制御部１０１は、被検眼Ｅに主照明系８によるスリット光が照射され、且つ、背景照明系２０が点灯状態で、撮像装置１３より出力された撮像画像を第２の画像Ｐ２としてキャプチャし、例えば制御部１０１が備える記憶装置に記憶する。この第２の画像Ｐ２は、図５（ｂ）に示すように、背景照明系２０が点灯しているため、スリット光照射領域Ｓ２だけでなく、周囲領域である背景領域Ｂ２も明るく示される。
【００５８】
次にステップＳ７として、制御部１０１は、第１の画像Ｐ１と第２の画像Ｐ２との合成を行うか否かについて判別する。これは、例えば操作部１０３により予め合成を行うか否かの設定が可能であり、制御部１０１はこの設定に基づいて当該判別を行う。当該判別結果が偽(Ｎｏ)である場合、即ち合成しないよう設定されていた場合は、ステップＳ８に進む。
【００５９】
ステップＳ８において、制御部１０１は第１の画像Ｐ１と第２の画像Ｐ２の両方又はどちらか一方を表示部１０２に表示させ、当該ルーチンを終了する（表示工程）。ここでの第１の画像Ｐ１及び第２の画像Ｐ２の表示は、表示部１０２にて並べて同時に表示してもよいし、第１の画像Ｐ１と第２の画像Ｐ２とを連続的に切り替えて表示してもよい。
【００６０】
一方、上記ステップＳ７の判別結果が真(Ｙｅｓ)である場合、即ち合成するよう設定されていた場合、ステップＳ９に進む。
【００６１】
ステップＳ９では、制御部１０１は第１の画像Ｐ１のスリット光照射領域Ｓ１と第２の画像Ｐ２のスリット光照射領域Ｓ２の位置のずれが許容範囲内であるか否かについて判別する。これは、例えば第１の画像Ｐ１と第２の画像Ｐ２とを重ね合わせ、それぞれのスリット光照射領域Ｓ１、Ｓ２の特徴点を選定して、対応する特徴点同士のずれ量を算出し、当該ずれ量が予め定めた閾値以上であるか否かで判別する。当該判別結果が偽(Ｎｏ)である場合、即ちスリット光照射領域Ｓ１、Ｓ２の位置のずれが許容範囲外である場合は、制御部１０１はステップＳ１の撮影条件の設定に戻る。一方、当該判別結果が真(Ｙｅｓ)である場合、即ちスリット光照射領域Ｓ１、Ｓ２の位置のずれ許容範囲内である場合はステップＳ１０に進む。
【００６２】
これより以下ステップＳ１０、Ｓ１１、Ｓ１２は、図６に示すように第１の画像Ｐ１と第２の画像Ｐ２とを合成し、第３の画像Ｐ３を生成する工程である（合成工程）。
【００６３】
具体的には、ステップＳ１０では、制御部１０１は第１の画像Ｐ１のうちスリット光照射領域Ｓ１を切り出したスリット像部Ｓ３を取得する。
【００６４】
続くステップＳ１１では、制御部１０１は第２の画像Ｐ２のうちスリット光照射領域Ｓ２を切り抜いた背景部Ｂ３を取得する。
【００６５】
そして、ステップＳ１２において、制御部１０１はステップＳ１０において取得したスリット像部Ｓ３とステップＳ１１で取得した背景部Ｂ３とを一体化させることで第３の画像Ｐ３を生成する。つまり、図６に示すように、スリット像部Ｓ３を、背景部Ｂ３において切り抜かれている部分にはめ込むことで第３の画像Ｐ３を生成している。そして、このように生成した第３の画像Ｐ３を表示部１０２に表示して当該ルーチンを終了する（表示工程）。
【００６６】
また、制御部１０１は、表示部１０２に表示された第３の画像Ｐ３において、スリット像部Ｓ３（スリット光照射領域）及び背景部Ｂ３（周囲領域）の明暗を調節可能である（明暗調整工程）。例えば、図７（ａ）に示す第３の画像Ｐ３’のように、背景部Ｂ３’を暗くしていき、スリット像部Ｓ３を際立させたり、図７（ｂ）に示す第３の画像Ｐ３''のように、スリット像部Ｓ３''を暗くしていき、背景部Ｂ３を際立たせたりすることができる。こうしてスリット像部Ｓ３と背景部Ｂ３とのコントラストを調整できることとなる。
【００６７】
以上のようにして、まずスリットランプ顕微鏡１は背景照明系２０が消灯状態の第１の画像Ｐ１の撮影と背景照明系２０が点灯状態の第２の画像Ｐ２の撮影を一連の動作で行い、これら第１の画像Ｐ１、第２の画像Ｐ２を表示部１０２にて表示することができる。したがって、主たる観察部位であるスリット光照射領域Ｓ１が高コントラストに示されている第１の画像Ｐ１と、被検眼Ｅ全体が鮮明に示されている第２の画像Ｐ２とを同時に又は連続して確認することができ、表示部１０２を通して被検眼Ｅの観察部位と全体とを容易に見比べることができる。これにより専門知識を持っていなくとも、被検眼Ｅの観察部位が全体のどの位置にあり、その観察部位の様子も精査することができる。
【００６８】
また、第１の画像Ｐ１からスリット光照射領域Ｓ１を切り出したスリット像部Ｓ３と第２の画像Ｐ２からスリット光照射領域Ｓ２を切り抜いた背景部Ｂ３とを合成して第３の画像Ｐ３生成することによって、一枚の画像で被検眼Ｅ全体と観察部位の細部とを同時に観察することができる。これにより、より容易に被検眼Ｅの観察を行うことができる。
【００６９】
また、第１の画像Ｐ１のスリット光照射領域Ｓ１と第２の画像Ｐ２のスリット光照射領域Ｓ２の位置のずれが許容範囲内にある場合にのみ第３の画像Ｐ３を生成することによって、精度の低い合成画像が生成されることを排除することができる。これによって、より信頼性の高い観察を行うことができる
【００７０】
また、第３の画像Ｐ３においてスリット像部Ｓ３及び背景部Ｂ３の明暗を必要に応じて調節することができることで、さらに被検眼Ｅを観察しやすくすることができる。
【００７１】
また、本実施形態のスリットランプ顕微鏡１では、シャッターを一度押下するだけで第１の画像及び第２の画像の撮影が行われることから、従来と変わらない操作で第１の画像及び第２の画像の撮影や、第３の画像の生成等が行うことができる。
【００７２】
このようなことから、本実施形態に係る眼科装置及び被検眼表示方法によれば、より容易に客観的な被検眼の観察を行うことができる。
【００７３】
以上で本発明の実施形態の説明を終えるが、本発明の態様はこの実施形態に限定されるものではない。
【００７４】
上記実施形態におけるスリットランプ顕微鏡１の観察系６は、撮像装置１３により撮像した被検眼Ｅの画像を表示部１０２を通して観察できる他、接眼レンズ３７を通して肉眼で被検眼の観察を行うこともできるが、本発明は撮像装置による観察のみが行えるスリットランプ顕微鏡にも適用できる。
【００７５】
また、上記実施形態では被検眼の表示ルーチンとして、第１の画像Ｐ１の撮影（ステップＳ３、Ｓ４）の後に、第２の画像Ｐ２の撮影（ステップＳ５、Ｓ６）を行っているが、これらの順序はこれに限られるものではなく、例えば第２の画像の撮影を第１の画像の撮影よりも先に行ってもよい。
【００７６】
また、上記実施形態では第３の画像Ｐ３の生成において、第１の画像Ｐ１からスリット像部Ｓ３を取得（ステップＳ１０）した後に、第２の画像から背景部Ｂ３を取得（ステップＳ１１）しているが、これらの順序もこれに限られるものではなく、例えば第２の画像からの背景部の取得を、第１の画像からのスリット像部の取得よりも先に行ってもよい。
【００７７】
また、上記実施形態では、第３の画像Ｐ３を生成して表示部１０２に表示しているが（ステップＳ１２）、このとき第３の画像Ｐ３だけでなく第１の画像Ｐ１、第２の画像Ｐ２も同時に又は連続して表示部１０２に表示してもよい。
【００７８】
また、上記実施形態では、第２の画像は、被検眼Ｅにスリット光が照射され、且つ、背景照明系２０が被検眼に照射しつつ背景照明系を点灯状態で撮影されているが、必ずしもスリット光は照射されている必要はなく、主照明系が消灯状態で、背景照明系２０のみが点灯状態であるときに撮影してもよい。その場合、第３の画像を生成する際には、第２の画像においてスリット光の照射領域を推定して、当該推定部分を切り抜いて背景部を取得すればよい。
【００７９】
さらに、上記実施形態では、第１の画像Ｐ１のスリット光照射領域Ｓ１と第２の画像Ｐ２のスリット光照射領域Ｓ２の特徴点のずれ量から両画像のずれを判別しているが、特徴点の選定はスリット光照射領域に限るものではない。例えば、目の瞳孔から特徴点を選定してもよい。
【００８０】
また、上記実施形態では、第１の画像及び第２の画像を撮影するシャッターが操作ハンドル５に設けられた押下式のスイッチであるが、第１の画像及び第２の画像を撮影するためのトリガはこれに限られるものでなく、例えばキーボードやマウスによる操作でもよい。
【符号の説明】
【００８１】
１  スリットランプ顕微鏡（眼科装置）
６  観察系
８  照明系
１３  撮像装置（撮像部）
２０  背景照明系
２０ａ  可視背景光源
２０ｂ  赤外可視光源
３７  接眼レンズ
５１  光源
５４  スリット形成部
１００  コンピュータ
１０１  制御部
１０２  表示部
１０３  操作部
Ｅ  被検眼
Ｐ１  第１の画像
Ｐ２  第２の画像
Ｐ３  第３の画像
Ｓ１、Ｓ２  スリット光照射領域
Ｓ３  スリット像部
Ｂ１、Ｂ２  背景領域
Ｂ３  背景部
【図１】
2018042644.tif 000003
【図２】
2018042644.tif 000004
【図３】
2018042644.tif 000005
【図４】
2018042644.tif 000006
【図５】
2018042644.tif 000007
【図６】
2018042644.tif 000008
【図７】
2018042644.tif 000009